(57)【要約】【課題】スタンバイモード時における消費電力をより低減させることが可能な表示装置の提供を目的とする。【解決手段】リモコン装置又は操作パネルの操作により出力されるパルス信号により制御を受け付ける表示装置において、当該表示装置を統合的に制御するメインＩＣと、メインＩＣが駆動するための電源電圧を供給する電源供給手段と、電源電圧の前記メインＩＣへの供給を制御する供給制御手段と、を有し、供給制御手段は、スタンバイモード時において前記電源電圧の供給を遮断し、パルス信号を受信した場合に前記電源電圧のメインＩＣへの供給を再開させる。【選択図】図１
2011229062.tif 000002
【特許請求の範囲】
【請求項１】
リモコン装置又は操作パネルの操作により出力されるパルス信号により制御を受け付ける表示装置において、
当該表示装置を統合的に制御するメインＩＣと、
前記メインＩＣが駆動するための電源電圧を供給する電源供給手段と、
前記電源電圧の前記メインＩＣへの供給を制御する供給制御手段と、を有し、
前記供給制御手段は、
スタンバイモード時において、前記電源電圧の供給を遮断し、
前記パルス信号を受信した場合に、前記電源電圧の前記メインＩＣへの供給を再開させることを特徴とする表示装置。
【請求項２】
前記供給制御手段は、
前記電源供給手段と前記メインＩＣとの接続を切替える第１のスイッチ手段を有し、
前記第１のスイッチ手段を切替えることで、前記電源電圧の供給を切替えることを特徴とする請求項１に記載の表示装置。
【請求項３】
前記供給制御手段は、
前記パルス信号の波形変化に応じて前記第１のスイッチ手段を切替える第２のスイッチ手段と、
前記第２のスイッチ手段による前記第１のスイッチ手段の切り替えを維持させる第３のスイッチ手段とを有することを特徴とする請求項２に記載の表示装置。
【請求項４】
前記供給制御手段は、
前記電源供給手段と前記メインＩＣとの接続を切替える第１のスイッチ手段と、
前記パルス信号の波形変化に応じて前記第１のスイッチ手段を切替える第２のスイッチ手段と、
前記第２のスイッチ手段による前記第１のスイッチ手段の切り替えを維持させる第３のスイッチ手段とを有することを特徴とする請求項１に記載の表示装置。
【発明の詳細な説明】
【技術分野】
【０００１】
本発明は、表示装置に関し、特に消費量電力を低減させることが可能な表示装置に関する。
【背景技術】
【０００２】
従来、消費電力を通常駆動時に比べて低減させるスタンバイモードを備える表示装置が知られている。このスタンバイモードでは、例えば、信号入力が一定期間行われない等の条件が成立した場合に任意の回路の駆動を停止させて装置全体での消費電力を低減させる（例えば、特許文献１−５参照）。
【先行技術文献】
【特許文献】
【０００３】
【特許文献１】特開平７−００７６９６号公報
【特許文献２】特開２００１−１１２０６８号公報（公開特許公報  第３７６６２４３号）
【特許文献３】特開２００１−１４５３５５号公報
【特許文献４】特開平９−１９１５６９号公報
【特許文献５】特開２００４−３４８７８１号公報（公開特許公報  第４０１６４２５号）
【発明の概要】
【発明が解決しようとする課題】
【０００４】
従来のスタンバイモードでは任意の条件が検出された場合に対象回路の駆動を復旧させる必要がある。そのため、従来の装置では、対象回路がスタンバイモードから復旧するためにスタンバイモード時においても対象回路に一定の電源電圧を供給しつづけていた。そのため、スタンバイモード時における消費電力を一定値以下にすることは難しかった。
【０００５】
本発明は、上記課題にかんがみてなされたもので、スタンバイモード時における消費電力をより低減させることが可能な表示装置の提供を目的とする。
【課題を解決するための手段】
【０００６】
上記課題を解決するために、本発明では、リモコン装置又は操作パネルの操作により出力されるパルス信号により制御を受け付ける表示装置において、当該表示装置を統合的に制御するメインＩＣと、前記メインＩＣが駆動するための電源電圧を供給する電源供給手段と、前記電源電圧の前記メインＩＣへの供給を制御する供給制御手段と、を有し、前記供給制御手段は、スタンバイモード時において、前記電源電圧の供給を遮断し、前記パルス信号を受信した場合に、前記電源電圧の前記メインＩＣへの供給を再開させる構成としてある。
【０００７】
上記のように構成された発明では、電源供給手段はメインＩＣが駆動するための電源電圧を供給し、供給制御手段は電源電圧のメインＩＣへの供給を制御する。さらに、供給制御手段はスタンバイモード時において、電源電圧の供給を遮断し、パルス信号を受信した場合に電源電圧のメインＩＣへの供給を再開させる。
【０００８】
そのため、スタンバイモード時においてはメインＩＣへの電源電圧を遮断して駆動を停止させるとともに、リモコン装置又は操作パネルが操作されてパルス信号が出力された場合は、このパルス信号を受信することでメインＩＣへの電源電圧の供給を再開し、スタンバイモードから復帰するため、スタンバイモード時における消費電力をより低減させることができる。
【０００９】
また、前記供給制御手段は、前記電源供給手段と前記メインＩＣとの接続を切替える第１のスイッチ手段を有し、前記第１のスイッチ手段を切替えることで、前記電源電圧の供給を切替える構成としてもよい。
【００１０】
そして、前記供給制御手段は、前記パルス信号の波形変化に応じて前記第１のスイッチ手段を切替える第２のスイッチ手段と、前記第２のスイッチ手段による前記第１のスイッチ手段の切り替えを維持させる第３のスイッチ手段とを有する構成としてもよい。
上記のように構成された発明では、波形変化が時系列で変化するパルス信号においても、電源電圧の供給を切替えるためのトリガー信号として利用することができ、どのようなパルス信号であっても利用することが可能となる。
【００１１】
さらに、本発明の他の局面として、前記供給制御手段は、前記電源供給手段と前記メインＩＣとの接続を切替える第１のスイッチ手段と、前記パルス信号の波形変化に応じて前記第１のスイッチ手段を切替える第２のスイッチ手段と、前記第２のスイッチ手段による前記第１のスイッチ手段の切り替えを維持させる第３のスイッチ手段とを有する構成としてもよい。
【発明の効果】
【００１２】
以上説明したように、本発明によれば、スタンバイモード時における消費電力をより低減させることができる。
【図面の簡単な説明】
【００１３】
【図１】表示装置１００の構成を説明するためのブロック構成図である。
【図２】メイン制御部８０の構成を示す回路図である。
【図３】スタンバイモード移行時におけるＰ＿ＯＮ＿Ｈ２信号、コマンド信号ＲＣＶ＿ＩＮ、電源電圧ＭＡＩＮ３．３Ｖ、の信号波形の変化を示す図である。
【図４】スタンバイモードからの復帰時におけるＰ＿ＯＮ＿Ｈ２信号、コマンド信号ＲＣＶ＿ＩＮ、電源電圧ＭＡＩＮ３．３Ｖ、の信号波形の変化を示す図である。
【発明を実施するための形態】
【００１４】
以下、下記の順序に従って本発明の実施形態を説明する。
１．第１の実施形態：
２．第２の実施形態：
３．その他の実施形態：
【００１５】
１．第１の実施形態： 
以下、図１−４を参照して、この発明に係る表示装置を具体化した第１の実施の形態について説明する。
【００１６】
（１）表示装置の構成：
図１は、表示装置１００の構成を説明するためのブロック構成図である。表示装置１００は、ディスプレイ９９、電源回路（電源供給手段）９８、ＲＣＶユニット９７、操作パネルユニット９６、及びメイン制御部８０を備えて構成され、図示しないアンテナ又は外部入力端子を介して取得した映像信号に応じて映像を表示する。また、表示装置１００は、リモコン装置１１０又は操作パネルユニット９６を介して操作入力を受け付け、受け付けた操作入力に応じて駆動を制御する。
【００１７】
本実施形態にかかる表示装置１００は、スタンバイモード時において、各部の駆動を停止させて装置全体での消費電力を低減させることが可能である。具体的には、表示装置１００がこのスタンバイモードに移行すると、電源回路９８から各部に供給される電源電圧を遮断又は供給される電源電圧の値を低圧化して、装置全体での消費電力を低減する。
【００１８】
ディスプレイ９９は液晶パネル等の表示機器により構成され、メイン制御部８０を通じて供給された映像信号をもとに映像を表示する。ディスプレイ９９は任意の解像度に応じた画素をマトリクス状に配置して構成される表示部を備え、各画素を駆動させることにより映像を表示する。
【００１９】
電源回路９８は図示しない商用電源から安定化電源を生成し、表示装置１００を構成する各部に所定の電源電圧を供給する。本実施形態では、電源回路９８は、商用電源からメイン制御部８０へ供給するための電源電圧ＡＬＬ５Ｖ、電源電圧ＡＬＬ３．３Ｖ、電源電圧ＭＡＩＮ３．３Ｖ、更にはディスプレイ９９を構成するバックライトを駆動するための電源電圧ＩＮＶを生成する。
【００２０】
ここで、電源電圧ＡＬＬ５Ｖは通常動作時にメイン制御部８０に供給される電源電圧である。また、電源電圧ＡＬＬ３．３．Ｖはスタンバイモード時において、メイン制御部８０に供給される電源電圧であり、電源電圧ＭＡＩＮ３．３ＶはメインＩＣへ供給される電源電圧である。そして、電源電圧ＩＮＶはスタンバイモード時においては、３１Ｖから８ボルトまで電圧が変化する電源電圧である。
【００２１】
ＲＣＶユニット９７は、リモコン装置１１０の操作により出力される赤外線信号を受信し、この赤外線信号をコマンド信号ＲＣＶ＿ＩＮに変換して出力する。このコマンド信号ＲＣＶ＿ＩＮはデューティ比又はパルスレベルに応じて任意の制御コマンドを示すパルス波であり、メイン制御部８０はコマンド信号の波形変化を検出してユーザーからの操作入力を受け付ける。また、コマンド信号ＲＣＶ＿ＩＮは、通常時は電源電圧ＡＬＬ５Ｖに基づいて生成され、スタンバイモード時においては、電源電圧ＡＬＬ３．３Ｖに基づいて生成される。
【００２２】
操作パネルユニット９６は、チャンネルキーや電源キー等の操作キーを備え、各操作キーの操作を受け付けることで上記したＲＣＶユニット９７と同様のパルス波のコマンド信号ＫＥＹ＿ＩＮをメイン制御部８０に出力する。
【００２３】
メイン制御部８０は例えば基板上に実装された複数の回路により形成され、このメイン制御部８０の統合的な制御を行うメインＩＣ８１と、メイン制御部８０におけるスタンバイモードを制御するスタンバイ状態制御回路（供給制御手段）８２と、を備えて構成される。
【００２４】
図２は、メイン制御部８０の構成を示す回路図である。メインＩＣ８１は、例えば、ＬＳＩ（Large Scale Integration）により形成され、メイン制御部８０における全体的な制御を行う。その一例として、メインＩＣ８１は、図示しないアンテナが受信した放送信号からデジタル信号を復調するフロントエンド部の機能、復調されたデジタル信号に対して画素数変換等の画像処理を施すバックエンド部の機能、更には所定条件が成立した際に表示装置１００を構成する各部をスタンバイモードに移行するためのスタンバイモード移行機能を備えて構成される。
【００２５】
このメインＩＣ８１は電源回路９８のＭＡＩＮ３．３Ｖ出力端子と接続され、電源回路９８から出力される電源電圧ＭＡＩＮ３．３Ｖをもとに所定の駆動を行う。さらに、メインＩＣ８１はスタンバイ状態制御回路８２に接続され、スタンバイモードへ移行するための条件が成立すると、ステップ波であるＭＡＩＮ３．３Ｖ＿ＤＯＷＮ信号をこのスタンバイ状態制御回路８２に出力することで自機を含めた各部をスタンバイモードへ移行させる。
【００２６】
スタンバイ状態制御回路８２は、メイン制御部８０におけるスタンバイモードへの移行を制御するための回路であり、その機能の一部として、メインＩＣ８１への電源電圧ＭＡＩＮ３．３Ｖの供給を停止することで、消費電力を低減させる。そのため、スタンバイ状態制御回路８２は、供給切り替え回路（第１のスイッチ手段）８２ａと、切り替え制御回路８２ｂと、供給遮断回路８２ｃと、を備えて構成される。
【００２７】
供給切り替え回路８２ａは、メインＩＣ８１と電源回路９８のＭＡＩＮ３．３Ｖ出力端子との間に介在する回路であり、メインＩＣ８１への電源電圧ＭＡＩＮ３．３Ｖの供給を切替える。供給切り替え回路８２ａはトランジスターＴｒ１を備えて構成され、コレクター／エミッター間が電源回路９８とメインＩＣ８１との間に接続されることで電源回路９８とメインＩＣ８１との導通を切り替える。また、トランジスターＴｒ１のベースは抵抗Ｒ１を介して電源回路９８のＩＮＶ電圧供給端子に接続され、電源回路９８から供給される電源電圧ＩＮＶによりベース電流を発生させる。
【００２８】
供給遮断回路８２ｃはメインＩＣ８１から出力されるＭＡＩＮ３．３Ｖ＿ＤＯＷＮ信号に応じて、電源電圧ＭＡＩＮ３．３ＶのメインＩＣ８１への供給を遮断するための回路である。供給遮断回路８２ｃはトランジスターＴｒ４を備えて構成され、コレクターが電源回路９８とメインＩＣ８１との接続間（厳密には、供給切り替え回路８２ａとメインＩＣ８１と接続間）に接続され、エミッターが接地されている。また、トランジスターＴｒ４はベースがメインＩＣ８１のＭＡＩＮ３．３Ｖ＿ＤＯＷＮ信号出力端子に接続されており、ＭＡＩＮ３．３Ｖ＿ＤＯＷＮ信号の入力によりオン／オフを切り替え、電源回路９８とメインＩＣ８１との導通状態を切替える。
【００２９】
切り替え制御回路８２ｂは、コマンド信号（ＲＣＶ＿ＩＮ、ＫＥＹ＿ＩＮ）、ＭＡＩＮ３．３Ｖ＿ＤＯＷＮ信号に応じてスタンバイ状態制御回路８２における各回路の駆動を制御するための回路である。また、切り替え制御回路８２ｂは、コマンド信号ＲＣＶ＿ＩＮに応じて制御を行う第１の切り替え回路８２ｂ１と、コマンド信号ＫＥＹ＿ＩＮに応じて制御を行う第２の切り替え回路８２ｂ２とを備えて構成され、各コマンド信号の入力に応じて個別にスタンバイ状態制御回路８２の駆動を制御する。
【００３０】
第１の切り替え回路８２ｂ１は、抵抗Ｒ２、トランジスターＴｒ２（第２のスイッチ手段）、トランジスターＴｒ３（第３のスイッチ手段）を備えて構成される。抵抗Ｒ２は、ＲＣＶユニット９７のコマンド出力端子とトランジスターＴｒ２のベースとの間に接続され、コマンド信号ＲＣＶ＿ＩＮに基づいたベース電流をトランジスターＴｒ２に発生させる。また、トランジスターＴｒ２はコレクターでトランジスターＴｒ１のベースに接続され、エミッターでダイオードを介して接地されている。そのため、トランジスターＴｒ２はベース電流に応じて、トランジスターＴｒ１のオン／オフを切り替える。そして、トランジスターＴｒ３のコレクターは、ＲＣＶユニット９７のコマンド出力端子とトランジスターＴｒ２のベースとの接続間に接続され、エミッターはダイオードを介して接地されている。さらに、トランジスターＴｒ３のベースは、供給遮断回路８２ｃのトランジスターＴｒ４のコレクターに接続されている。
【００３１】
第２の切り替え回路８２ｂ２は、抵抗Ｒ３、トランジスターＴｒ５、トランジスターＴｒ６を備えて構成される。抵抗Ｒ３は、操作パネルユニット９６のコマンド出力端子とトランジスターＴｒ５のベースとの間に接続され、コマンド信号ＫＥＹ＿ＩＮに基づいたベース電流をトランジスターＴｒ５に発生させる。また、トランジスターＴｒ５はコレクターで電源電圧３．３Ｖ及びトランジスターＴｒ６のベースに接続され、ベース電流の有無によりトランジスターＴｒ６のオン／オフを切り替える。そして、トランジスターＴｒ６のコレクターは、第１の切り替え回路８２ｂ１の抵抗Ｒ２とトランジスターＴｒ２のベースの接続間に接続され、トランジスターＴｒ２とＲＣＶユニット９７との導通（つまりは、トランジスターＴｒ２のオン／オフ）を切替える。
【００３２】
（２）メイン制御部８０の作用について：
（２−１）スタンバイモードへの移行処理について：
以下、本実施形態にかかる表示装置１００におけるスタンバイモードへの移行処理を説明する。図３は、スタンバイモード移行時におけるＰ＿ＯＮ＿Ｈ２信号、コマンド信号ＲＣＶ＿ＩＮ、電源電圧ＭＡＩＮ３．３Ｖ、の信号波形の変化を示す図である。
【００３３】
まず、表示装置１００にメイン電源が投入され一定期間が経過すると、メイン制御部８０は通常状態に移行する。この通常状態においては、Ｐ＿ＯＮ＿Ｈ２信号はハイレベルであり、コマンド信号ＲＣＶ＿ＩＮはリモコン装置１１０からの赤外線信号を受信しない場合ハイレベル（５Ｖ）を維持する（図３のＴ１の期間）。
【００３４】
Ｐ＿ＯＮ＿Ｈ２信号がローレベルに切り替わり、スタンバイモードへ移行させる条件が成立したことをメインＩＣ８１が検出すると、その５秒後にメインＩＣ８１はＭＡＩＮ３．３Ｖ＿ＤＯＷＮ信号を出力する。そのため、供給遮断回路８２ｃのトランジスターＴｒ４はオンし、電源回路９８とメインＩＣ８１の導通が遮断される。また、ＭＡＩＮ３．３Ｖの遮断により第１の切り替え回路８２ｂ１のトランジスターＴｒ３がオフするが、コマンド信号ＲＣＶ＿ＩＮ（３．３Ｖ）によりトランジスターＴｒ２はオン状態を維持するため、供給切り替え回路８２ａのトランジスターＴｒ１はオフする。なお、スタンバイモードへの移行のため、ユーザーからの操作入力はなく、コマンド信号ＲＣＶ＿ＩＮ、ＫＥＹ＿ＩＮの波形変化はないものとする。
【００３５】
そのため、メインＩＣ８１への電源電圧ＭＡＩＮ３．３Ｖの供給が停止され、メイン制御部８０はスタンバイモードへ移行する（図３のＴ２の期間）。また、メイン制御部８０がスタンバイモードに移行することにより、コマンド信号ＲＣＶ＿ＩＮも電源電圧ＡＬＬ３．３Ｖに基づいて生成されるため、３．３Ｖ（パルス信号が合成されていない状態）に変化する。
【００３６】
（２−２）スタンバイモードからの復帰処理について：
図４は、スタンバイモードからの復帰時におけるＰ＿ＯＮ＿Ｈ２信号、コマンド信号ＲＣＶ＿ＩＮ、電源電圧ＭＡＩＮ３．３Ｖ、の信号波形の変化を示す図である。
【００３７】
メイン制御部８０のスタンバイモードでは、コマンド信号ＲＣＶ＿ＩＮが３．３Ｖであるため、第１の切り替え回路８２ｂ１のトランジスターＴｒ２はオンを維持し、供給切り替え回路８２ａのトランジスターＴｒ１のオフを維持する。この状態で、ユーザーがリモコン装置１１０を操作することでコマンド信号ＲＣＶ＿ＩＮにパルス波が合成されて波形が変化すると（図４のＴ３）、コマンド信号ＲＣＶ＿ＩＮは立下り波形においてローレベルに変化するため、トランジスターＴｒ２がオフし、電源回路９８から供給された電源電圧ＩＮＶによりトランジスターＴｒ１がオンする。そのため、電源回路９８とメインＩＣ８１との導通が確立され、メインＩＣ８１に電源電圧ＭＡＩＮ３．３Ｖが供給される。
【００３８】
このとき、コマンド信号ＲＣＶ＿ＩＮはパルス波であるため直ぐにハイレベルに変化するが、電源電圧ＭＡＩＮ３．３Ｖに応じたベース電流によりトランジスターＴｒ３がオンし、トランジスターＴｒ２がオフするため、供給切り替え回路８２ａのトランジスターＴｒ１のオンを維持する。そのため、トランジスターＴｒ１を通じて電源回路９８からメインＩＣ８１へ電源電圧ＭＡＩＮ３．３Ｖの供給が維持され、メイン制御部８０はスタンバイモードから復帰する。
【００３９】
（２−３）操作パネルユニット９６の操作によるスタンバイモードからの復帰について：
メイン制御部８０がスタンバイモードに移行している状態で、操作パネルユニット９６を操作すると、第２の切り替え回路８２ｂ２にパルス波が合成されたコマンド信号ＫＥＹ＿ＩＮが入力する。このコマンド信号ＫＥＹ＿ＩＮの立下り波形によりトランジスターＴｒ５がオフし、トランジスターＴｒ６をオンさせる。そのため、ＲＣＶユニット９７と第１の切り替え回路８２ｂ１のトランジスターＴｒ２の導通が遮断され、トランジスターＴｒ２をオフする。その結果、供給切り替え回路８２ａのトランジスターＴｒ１がオンし、メインＩＣ８１をスタンバイモードから復帰させる。
【００４０】
以上説明したように、本実施形態にかかる表示装置では、スタンバイモード時において、メインＩＣへの電源電圧の供給を遮断するとともに、パルス信号を受信した場合にメインＩＣへの電源電圧の供給を再開させるため、スタンバイモード時において電源電圧を供給する必要がなく電力消費量をより低減することができる。
また、本表示装置では、波形変化が時系列で変化するパルス信号においても、電源電圧の供給を切替えるためのトリガー信号として利用することができ、どのようなパルス信号であっても利用することが可能となる。
【００４１】
２．第２の実施形態：
第１の実施形態では、スタンバイモードから復帰するに際し、コマンド信号の波形変化（立下り）によってトランジスターＴｒ２のオン／オフを切替えるため、トランジスターＴｒ３はオフ後のトランジスターＴｒ２がオンしないよう機能する。しかしながら、上記トランジスターＴｒ３の機能をメインＩＣ８１内部での機能的な処理により実現してもよい。即ち、スタンバイモードから復帰するに際し、一度トランジスターＴｒ２がオフすることで、メインＩＣ８１に電源電圧ＭＡＩＮ３．３Ｖが入力されると、メインＩＣ８１内の機能によりスタンバイモードが復帰したことを検出し、トランジスターＴｒ１のオンの維持、及びトランジスターＴｒ２のオフを維持する構成としてもよい。上記構成とすることで、トランジスターＴｒ３が必要なくなるため、回路構成をより簡素化することができる。
【００４２】
３．その他の実施形態：
上記図２に示したメイン制御部８０の構成は一例であり、本実施形態と同様の機能を備えるものでればどのような構成であってもよい。
【００４３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４４】
８０…メイン制御部、８１…メインＩＣ、８２…スタンバイ状態制御回路、８２ａ…供給切り替え回路、８２ｂ…切り替え制御回路、８２ｂ１…第１の切り替え回路、８２ｂ２…第２の切り替え回路、８２ｃ…供給遮断回路、９６…操作パネルユニット、９７…ＲＣＶユニット、９８…電源回路、９９…ディスプレイ、１００…表示装置、１１０…リモコン装置
【図１】
2011229062.tif 000003
【図２】
2011229062.tif 000004
【図３】
2011229062.tif 000005
【図４】
2011229062.tif 000006